(57)【要約】【課題】  簡略な構造で、取り出しや切断が容易なロールペーパーホルダーを提供する。【解決手段】  ペーパーのロール８を回転可能な状態で収納可能で、壁面に取り付けることが可能な収納部２と、収納部２の壁面への取り付け側の上端を回動軸３として、回動可能に取り付けられた蓋部１を有するロールペーパーホルダーに、壁面への取り付け側を後方とした際の、収納部２の前面の上端近傍に、ロールペーパーから引き出した端部の後方に当接するペーパー当接部５を設け、蓋部１に、ペーパー当接部５に先端が当接する形状の突起部４を設けるともに、蓋部１における突起部４よりさらに前方に延長した部分の先端に、ペーパー切断部５を設ける。【選択図】図１
0003164458.tif 000002
【実用新案登録請求の範囲】
【請求項１】
ロールペーパーを回転可能な状態で収納可能で、壁面に取り付けることが可能な収納部と、前記収納部の壁面への取り付け側の上端を軸として、回動可能に取り付けられた蓋部を有するロールペーパーホルダーにおいて、壁面への取り付け側を後方とした際に、前記収納部の前面の上端近傍には、前記ロールペーパーから引き出した端部の後方に当接するペーパー当接部が設けられ、前記蓋部には、前記ペーパー当接部に先端が当接する形状の突起部が設けられるともに、前記蓋部における前記突起部よりさらに前方に延長した部分の先端に、ペーパー切断部が設けられてなることを特徴とする、ロールペーパーホルダー。
【考案の詳細な説明】
【技術分野】
【０００１】  本考案は、トイレットペーパーなどの、ロール状に巻き取られた紙の引き出しや切断を容易にした、ロールペーパーホルダーに関するものである。
【背景技術】
【０００２】  例えばトイレットペーパーは、トイレの壁面に固定されたホルダーに回転可能な状態で収納し、適宜引き出して切断して用いるのが一般的になっている。トイレットペーパーは一般に柔軟で、簡単にちぎれる紙質なので、引き出した紙をホルダーの先端部に当接させた状態で引っ張ることで、簡単に切断できる。【０００３】  しかし、切断した後の紙の先端は、ロールペーパーの表層に張り付いた状態となることが多く、次に引き出す際には、先端が表層から剥がれ難く、下の層の紙まで破ってしまうことがある。このような不具合に対処するため、種々のホルダーが開発されている。【０００４】  例えば、特許文献１には、ロールペーパーの先端が、誘導板突起部を通りペーパー跳ね上げ板の先端を経由し切断具取付板の隙間から垂れ下がった状態にして、経由途中の位置で押圧摩擦体と押圧突起に可動圧接用バネの押圧力により挟むことにより、ペーパーの滑り出しを制限し、切断具取付板の先端の切断刃で切断すると、切断されたペーパー先端がペーパーの自重で垂れ下がる構造のロールペーパーホルダーが開示されている。【０００５】  しかしながら、特許文献１に開示されているロールペーパーホルダーは、構造がやや複雑で、製造コスト低減が困難であるという課題がある。
【先行技術文献】
【特許文献】
【０００６】
【特許文献１】特開２００８−０３６２０１号公報
【考案の概要】
【考案が解決しようとする課題】
【０００７】  従って、本考案の課題は、簡略な構造で、取り出しや切断が容易なロールペーパーホルダーを提供することにある。
【課題を解決するための手段】
【０００８】  本考案は、前記課題の解決のためホルダーにおける、ロールペーパーの収納部と、ロールペーパーを覆う蓋部の構造を検討した結果なされたものである。【０００９】  即ち、本考案は、ペーパーのロールを回転可能な状態で収納可能で、壁面に取り付けることが可能な収納部と、前記収納部の壁面への取り付け側の上端を軸として、回動可能に取り付けられた蓋部を有するロールペーパーホルダーにおいて、壁面への取り付け側を後方とした際に、前記収納部の前面の上端近傍には、前記ロールペーパーから引き出した端部の後方に当接するペーパー当接部が設けられ、前記蓋部には、前記ペーパー当接部に先端が当接する形状の突起部が設けられるともに、前記蓋部における前記突起部よりさらに前方に延長した部分の先端に、ペーパー切断部が設けられてなることを特徴とする、ロールペーパーホルダーである。
【考案の効果】
【００１０】  本考案に係るロールペーパーホルダーにおいては、ロールペーパーの先端部の後方を、収納部側のペーパー当接部と蓋部側の突起部の間に挟んだ状態で、蓋部におけるロールペーパーが挟まれた部位よりも、前方に設けられた切断部で、ロールペーパーを切断するので、切断した後のロールペーパーは、挟まれた部分と切断部の間が残って、自重で垂れ下がる状態となる。【００１１】  従って、次にロールペーパーを引き出す際には、垂れ下がった部分を把持して引き出せるので、従来のロールペーパーホルダーよりも、引き出しと切断が極めて容易になる。
【図面の簡単な説明】
【００１２】
【図１】本考案に係るロールペーパーホルダーの一例で、ロールペーパーを引き出した状態を示す図。
【図２】本考案に係るロールペーパーホルダーの一例で、ロールペーパーの先端が垂れ下がった状態を示す図。
【考案を実施するための形態】
【００１３】  次に、具体的な図を用いて、本考案を実施するための形態について、説明する。
【００１４】  図１は、本考案に係るロールペーパーホルダーの一例で、ロールペーパーを引き出した状態を示す図である。また図２は、本考案に係るロールペーパーホルダーの一例で、ロールペーパーの先端が垂れ下がった状態を示す図である。
【００１５】  図１及び図２において、１は蓋部、２は収納部、３は回動軸、４は突起部、５ペーパー当接部、６はペーパー切断部、７ａ、７ｂ、７ｃ、７ｄはペーパーのロールを回転させるためのローラー、８はペーパーのロール、９はロールペーパーを引き出した部分、１０はロールペーパーが垂れ下がった部分である。
【００１６】  図１に示したように、本考案に係るロールペーパーホルダーにおいて、紙を引き出して切断する際は、ロールペーパーの先端を引っ張り、蓋部１を閉じて突起部４をペーパー当接部５に押し当てた状態で、ロールペーパーを引き出した部分９を引っ張ることにより、切断することが可能である。
【００１７】  ここで、ペーパー切断部６には、別途に調製した金属製の刃を取り付けることも可能である。また、ここでは収納部２の内周面にローラー７ａ、７ｂ、７ｃ、７ｄを設けて、ペーパーのロール８が容易に回転できるようにしてあるが、一般的な従来のロールペーパーホルダーのように、ペーパーのロール８の巻芯に嵌合するシャフトを設けることも可能である。
【００１８】  そして、切断後は、図２に示したように、ロールペーパーが垂れ下がった部分１０が形成されるので、次にロールペーパーを引き出す際は、この部分の先端を把持すればよいので、従来のロールペーパーホルダーと比較すると、引き出しが極めて容易になる。
【００１９】  以上に説明したように、本考案によれば、引き出しと切断が容易なロールペーパーホルダーを提供できる。なお、本考案は、前記実施の形態に限定されるものではなく、本考案の分野における通常の知識を有する者であれば想到し得る、各種変形、修正を含む、本考案の要旨を逸脱しない範囲の設計変更があっても、本考案に含まれることは勿論である。
【符号の説明】
【００２０】１                      蓋部２                      収納部３                      回動軸４                      突起部５                      ペーパー当接部６                      ペーパー切断部７ａ，７ｂ，７ｃ，７ｄ  ローラー８                      ペーパーのロール９                      ロールペーパーを引き出した部分１０                    ロールペーパーが垂れ下がった部分
【図１】
0003164458.tif 000003
【図２】
0003164458.tif 000004